(57)【要約】【課題】駆動回路の複雑化を抑えながら、初期化期間において形成された壁電荷および放電空間内の励起粒子、荷電粒子の減少に起因する書込み不良を低減し、高い画像品質を実現できるプラズマディスプレイ装置の駆動方法およびプラズマディスプレイ装置を提供する。【解決手段】本プラズマディスプレイ装置の駆動方法では、書込み期間において、スキャン電極Ｓｃｎ（ｎ／２＋１）〜Ｓｃｎ（ｎ）に対し再初期化パルスＰｓｅｔ２を印加する。再初期化パルスＰｓｅｔ２は、スキャン電極Ｓｃｎ（ｎ／２）への走査パルスＰｓｃｎの印加の後であって、スキャン電極Ｓｃｎ（ｎ／２＋１）への走査パルスＰｓｃｎ２の印加の前に、スキャン電極Ｓｃｎ（ｎ／２＋１）〜Ｓｃｎ（ｎ）に対し一斉に印加され、初期化パルスＰｓｅｔにおける下り傾斜部分の最終電圧Ｖｉ４から始まり、当該部分と同じ傾きを有する波形に設定されている。【選択図】図７
2008170651.tif 000002
【特許請求の範囲】
【請求項１】
各々が第１方向に延伸された複数のスキャン電極と複数のサスティン電極とが、前記第１方向に交差する第２方向に向けて交互に並設され、前記スキャン電極および前記サスティン電極の双方に対し、放電空間を挟んで立体交差する状態に複数のデータ電極が並設され、前記立体交差する各々の箇所に放電セルが構成されてなるプラズマディスプレイパネルに対し、
それぞれ輝度重み付けされた複数のサブフィールドの組み合わせからなる１ＴＶフィールドに、前記放電セルの壁電荷状態の初期化を図る初期化期間と、当該初期化期間に続き、維持放電を生じさせる放電セルの選択を図る書込み期間とを割り当ててなる方式を用い表示駆動を実行させるプラズマディスプレイ装置の駆動方法であって、
前記初期化期間では、前記複数のスキャン電極に対し、１．０Ｖ／μｓｅｃ．以上１０．０Ｖ／μｓｅｃ．以下の範囲内の電圧変化率で電圧が上昇または降下する第１の傾斜波形部分を含む初期化パルスを印加し、
前記書込み期間では、前記複数のスキャン電極の各々に対し、時間順に走査パルスが印加されるとともに、前記複数のスキャン電極の内、期間における時間順で２番目以降に走査パルスが印加される少なくとも１本のスキャン電極に対し、走査パルスの印加に先行して第２の傾斜波形部分を有する再初期化パルスを印加するものであって、
前記再初期化パルスにおける第２の傾斜波形部分は、前記初期化パルスにおける第１の傾斜波形部分と実質的に同じ電圧変化率を有し、且つ、開始電圧が前記第１の傾斜波形部分における終了電圧と実質的に同じである
プラズマディスプレイ装置の駆動方法。
【請求項２】
前記書込み期間における前記再初期化パルスは、当該スキャン電極への前記走査パルスの印加に対し、当該走査パルスのパルス幅の２倍以上の時間間隔をあけて先行し印加される
請求項１に記載のプラズマディスプレイ装置の駆動方法。
【請求項３】
前記複数のスキャン電極を、前記書込み期間における走査パルスの印加の時間順に、複数のグループに分けて考えるとき、
前記書込み期間における前記再初期化パルスは、前記走査パルスの印加の時間順における２番目以降となるグループに対し、当該グループに属する複数のスキャン電極に対し一斉に印加される
請求項１または２に記載のプラズマディスプレイ装置の駆動方法。
【請求項４】
前記複数のスキャン電極は、前記第２方向において、前記複数のグループに分けられている
請求項３に記載のプラズマディスプレイ装置の駆動方法。
【請求項５】
各々が第１方向に延伸された複数のスキャン電極と複数のサスティン電極とが、前記第１方向に交差する第２方向に向けて交互に並設され、前記スキャン電極および前記サスティン電極の双方に対し、放電空間を挟んで立体交差する状態に複数のデータ電極が並設され、前記立体交差する各々の箇所に放電セルが構成されてなるプラズマディスプレイパネルと、
それぞれ輝度重み付けされた複数のサブフィールドの組み合わせからなる１ＴＶフィールドに、前記放電セルの壁電荷状態の初期化を図る初期化期間と、当該初期化期間に続き、維持放電を生じさせる放電セルの選択を図る書込み期間とを割り当ててなる方式を用い前記プラズマディスプレイパネルを表示駆動を実行させる表示駆動部とを備えるプラズマディスプレイ装置であって、
前記表示駆動部は、請求項１から４の何れかの表示駆動を実行する
プラズマディスプレイ装置。
【発明の詳細な説明】
【技術分野】
【０００１】
本発明は、プラズマディスプレイ装置の駆動方法およびプラズマディスプレイ装置に関し、特にサブフィールド法を用いた駆動における初期化動作に関する。
【背景技術】
【０００２】
プラズマディスプレイパネルとして代表的な交流面放電型プラズマディスプレイパネル（以下では、単に「ＰＤＰ」と記載する。）は、前面パネルと背面パネルとが互いに間隔をあけて対向配置され、外周部で封止された構成を有する。そして、前面パネルと背面パネルとの間の空間には、キセノン（Ｘｅ）およびネオン（Ｎｅ）を含む放電ガスが充填されている。
【０００３】
前面パネルでは、前面基板の一方の主面にスキャン電極とサスティン電極とからなる表示電極対が複数並設されている。前面基板における表示電極対が形成された主面には、誘電体層および保護層が順に被覆形成されている。
一方、背面パネルでは、背面基板における上記前面パネルに対し対向する側の主面に複数のデータ電極が形成され、このデータ電極が形成された主面が、誘電体層により被覆されている。そして、背面パネルには、誘電体層の表面上にストライプ状または井桁状の隔壁が立設され、隔壁と誘電体層とで構成される凹部の内壁面上に蛍光体層が形成されている。なお、前面パネルと背面パネルとは、互いの表示電極対とデータ電極とが立体交差する状態に配置され、各立体交差部分が放電セルとして構成されている。
【０００４】
プラズマディスプレイ装置は、上記ＰＤＰの各電極に対し電極駆動回路が接続され、各電極駆動回路には画像信号処理回路およびタイミング信号発生回路などが接続された構成を有する。ここで、代表的なプラズマディスプレイ装置の駆動では、所謂、サブフィールド法を用いられる。サブフィールド法を用いた駆動方法について、図１２を用い説明する。
【０００５】
図１２に示すように、サブフィールド法を用いたプラズマディスプレイ装置の駆動方法では、入力画像信号における１フィールドを複数のサブフィールド（ＳＦ（１）〜ＳＦ（Ｘ））に分解し、各サブフィールドにおける維持放電の発生回数を積分することにより、１フィールドの階調表現を実行する。各サブフィールドは、初期化期間、書込み期間および維持期間から構成されており、このうち初期化期間では、緩やかに電圧が変化する傾斜波形部分を備えた初期化パルスＰｓｅｔをスキャン電極Ｓｃｎ（１）〜Ｓｃｎ（ｎ）に印加し、全放電セルにおいて初期化放電を発生させる。これにより、前サブフィールドの影響の除去や放電特性のバラツキを吸収するために、パネル全体の放電セルで一斉に初期化放電を発生させ、全ての放電セルにおける保護層表面上に所定の壁電荷形成を行う。なお、図１２に示すように、初期化期間においては、その後半でサスティン電極Ｓｕｓ（１）〜Ｓｕｓ（ｎ）に電圧Ｖｅを印加し、また、データ電極Ｄａｔ（１）〜Ｄａｔ（ｍ）は接地電位としておく。
【０００６】
次に、書込み期間では、選択されたスキャン電極Ｓｃｎ（ｋ）とデータ電極Ｄａｔ（ｌ）とにそれぞれ走査パルスＰｓｃｎと書込みパルスＰｄａｔを印加し、スキャン電極Ｓｃｎ（ｋ）とデータ電極Ｄａｔ（ｌ）との交差部分に書込み放電を発生させる。この書込み放電の発生をもって、選択された放電セルにおける前面パネルの保護層表面に新たな壁電荷を形成する。なお、書込み期間では、パネルの上方に位置するスキャン電極Ｓｃｎからライン順にパネル下方に向かって走査パルスＰｓｃｎを印加するとともに、点灯させるべきデータ電極Ｄａｔに対し選択的に書込みパルスＰｄａｔを印加することによって書込み放電を発生させ、表示すべきデータを各放電セルの壁電荷として書き込む。
【０００７】
続く維持期間では、全てのスキャン電極Ｓｃｎ（１）〜Ｓｃｎ（ｎ）とサスティン電極Ｓｕｓ（１）〜Ｓｕｓ（ｎ）に対し、交互に変化する維持パルスＰｓｕｓを印加して、先の書込み期間で書込み放電を発生させた放電セルにおけるスキャン電極Ｓｃｎ（ｋ）とサスティン電極Ｓｕｓ（ｌ）との間で維持放電を生じさせる。即ち、書込み期間において書込み放電の発生をもって壁電荷の形成がなされた放電セルでは、この壁電荷による電位差に対し維持期間に印加される維持パルスＰｓｕｓによるスキャン電極Ｓｃｎ（ｋ）とサスティン電極Ｓｕｓ（ｌ）の電位差とが足し合わされた値が放電開始電圧以上となり、これにより、当該放電セルで維持パルスＰｓｕｓの半周期毎に維持放電が発生することになる。維持期間において維持放電が発生した放電セルにおいては、放電空間内で紫外線が発生し、当該紫外線が蛍光体層を励起することで可視光に変換されて前面パネル側から出射されることになる。
【０００８】
なお、書込み期間において書込みがなされなかった放電セルでは、書込み期間において壁電荷の電界成分が存在しないので、維持期間に維持放電が発生することはない。
ところで、サブフィールド法を用いたプラズマディスプレイ装置の駆動方法では、初期化期間で形成された壁電荷が書込み期間における実際の書込み動作がなされるまでの間に減少し、書込み不良を生じるという問題を生じることがある。即ち、初期化動作の終了後における壁電荷は、放電空間内に残留する励起ガスや、初期化放電によって活性になっている保護層から放出される電子による中和などの要因によって、時間の経過とともに減少する。また、放電空間内に存在する荷電粒子や励起粒子は、初期化動作の後における時間の経過とともに減少し、書込み放電が生じ難くなる。特に、走査パルスＰｓｃｎの印加順において、後になるパネルの下方のスキャン電極において、特に書込み動作が正常に実行できないという問題を生じやすい。
【０００９】
このような問題を解決しようと、種々の提案がなされている。例えば、書込み期間中にスキャン電極に印加される走査パルスの電圧を、走査パルスの印加順序に応じてスキャン電極毎に変化させ、また、書込み期間におけるサスティン電極の電位を変化させるなどの方法が提案されている（特許文献１、２）。
【特許文献１】特開２００２−１３２２０５号公報
【特許文献２】特開２００２−１４００３２号公報
【発明の開示】
【発明が解決しようとする課題】
【００１０】
しかしながら、上記特許文献１、２で提案されている技術では、確実な書込み動作を補償するのに、書込み期間にスキャン電極毎に走査パルスの電圧値を設定する必要があり、各々に対応する電源回路を準備しなければならない。このため、高精細化の要望によりスキャン電極の配設本数が多くなるほど、走査パルスの印加に係る電源数を増設する個とが必要となり、実際にこれらの技術を採用することはできない。なお、上記特許文献１、２の技術に代り、書込み期間におけるデータ電極に対し印加する書込みパルスの電圧を印加順に順次高くするという方法を採用することも考えられるが、この場合であっても電源数の増加という問題を生じる。
【００１１】
本発明は、上記問題を解決しようとなされたものであって、駆動回路の複雑化を抑えながら、初期化期間において形成された壁電荷および放電空間内の励起粒子、荷電粒子の減少に起因する書込み不良を低減し、高い画像品質を実現できるプラズマディスプレイ装置の駆動方法およびプラズマディスプレイ装置を提供することを目的とする。
【課題を解決するための手段】
【００１２】
上記目的を達成するために、本発明は、各々が第１方向に延伸された複数のスキャン電極と複数のサスティン電極とが、第１方向に交差する第２方向に向けて交互に並設され、スキャン電極およびサスティン電極の双方に対し、放電空間を挟んで立体交差する状態に複数のデータ電極が並設され、立体交差する各々の箇所に放電セルが構成されてなるＰＤＰに対し、それぞれ輝度重み付けされた複数のサブフィールドの組み合わせからなる１ＴＶフィールドに、前記放電セルの壁電荷状態の初期化を図る初期化期間と、当該初期化期間に続き、維持放電を生じさせる放電セルの選択を図る書込み期間とを割り当ててなる方式を用い表示駆動を実行させるプラズマディスプレイ装置の駆動方法であって、次の方法を採用する。
【００１３】
本発明に係るプラズマディスプレイ装置の駆動方法では、初期化期間において、複数のスキャン電極に対し、１．０［Ｖ／μｓｅｃ．］以上１０．０［Ｖ／μｓｅｃ．］以下の範囲内の電圧変化率で電圧が上昇または降下する第１の傾斜波形部分を含む初期化パルスを印加し、書込み期間において、複数のスキャン電極の各々に対し、時間順に走査パルスが印加されるとともに、複数のスキャン電極の内、期間における２番目以降に走査パルスが印加される少なくとも１本のスキャン電極に対し、走査パルスの印加に先行して、第２の傾斜波形部分を有する再初期化パルスを印加する。そして、本発明に係る駆動方法では、再初期化パルスにおける第２の傾斜波形部分を、初期化パルスにおける第１の傾斜波形部分と実質的に同じ電圧変化率を有し、且つ、その開始電圧が第１の傾斜波形部分における終了電圧と実質的に同じである形態としている。
【００１４】
また、本発明は、各々が第１方向に延伸された複数のスキャン電極と複数のサスティン電極とが、第１方向に交差する第２方向に向けて交互に並設され、スキャン電極およびサスティン電極の双方に対し、放電空間を挟んで立体交差する状態に複数のデータ電極が並設され、立体交差する各々の箇所に放電セルが構成されてなるＰＤＰと、それぞれ輝度重み付けされた複数のサブフィールドの組み合わせからなる１ＴＶフィールドに、放電セルの壁電荷状態の初期化を図る初期化期間と、当該初期化期間に続き、維持放電を生じさせる放電セルの選択を図る書込み期間とを割り当ててなる方式を用いＰＤＰを表示駆動を実行させる表示駆動部とを備えるプラズマディスプレイ装置であって、表示駆動部が上記本発明に係るプラズマディスプレイ装置の駆動方法を用い表示駆動を実行する。
【発明の効果】
【００１５】
本発明に係るプラズマディスプレイ装置の駆動方法およびプラズマディスプレイ装置では、書込み期間において、走査パルスの印加順が２番目以降となる少なくとも１本のスキャン電極に対し、走査パルスに先行して、再初期化パルスを印加することとしている。なお、再初期化パルスにおける電圧変化率は、少なくとも初期化パルスにおける第１の傾斜波形部分が採り得る範囲（１．０［Ｖ／μｓｅｃ．］以上１０．０［Ｖ／μｓｅｃ．］以下の範囲）であればよい。
【００１６】
上記により、再初期化パルスが印加されたスキャン電極では、仮に初期化パルスの印加を受けた後、時間が経過することで壁電荷の減少や放電空間内の励起粒子および荷電粒子の現象が生じた場合でも、再初期化パルスの印加により壁電荷状態等が回復し、確実な書込みが実行可能となる。
従って、本発明に係るプラズマディスプレイ装置の駆動方法およびプラズマディスプレイ装置は、初期化期間において形成された壁電荷および放電空間内の励起粒子、荷電粒子の減少に起因する書込み不良を低減し、高い画像品質を実現可能である。
【００１７】
なお、本実施の形態に係るプラズマディスプレイ装置の駆動方法では、書込み期間にスキャン電極に対し印加する走査パルスの電圧値は、パルスの印加順に変化させるものではなく、また、当該期間にデータ電極に対し印加する書込みパルスの電圧値も、パルスの印加順に変化させるものではないので、駆動回路の複雑化を招くことがない。
【発明を実施するための最良の形態】
【００１８】
（本発明の構成および作用・効果およびバリエーション）
本発明に係るプラズマディスプレイ装置の駆動方法およびプラズマディスプレイ装置では、書込み期間において、走査パルスの印加順で２番目以降となる少なくとも１本のスキャン電極に対し、走査パルスに先行して、再初期化パルスを印加する。これにより、本発明に係るプラズマディスプレイ装置の駆動方法およびプラズマディスプレイ装置では、少なくとも再初期化パルスの印加を受けたスキャン電極において、初期化期間において形成された壁電荷および放電空間内の励起粒子、荷電粒子の減少に起因する書込み不良を低減し、高い画像品質が実現される。このような特徴を有する本発明は、次のようなバリエーションを採用することができる。
【００１９】
上記本発明に係るプラズマディスプレイ装置の駆動方法およびプラズマディスプレイ装置では、書込み期間における再初期化パルスを、当該パルスの印加対象となるスキャン電極への走査パルスの印加に対し、当該走査パルスのパルス幅の２倍以上の時間間隔をあけて先行し印加する、という構成を採用することができる。
また、上記本発明に係るプラズマディスプレイ装置の駆動方法およびプラズマディスプレイ装置では、複数のスキャン電極を書込み期間における走査パルスの印加の時間順に、複数のグループに分けて考えるとき、書込み期間における再初期化パルスを、走査パルスの印加の時間順における先頭となるグループを除くグループ（走査パルスの印加順で２番目以降となるグループ）に対し、当該グループに属する複数のスキャン電極に対し一斉に印加する、という構成を採用することができる。なお、書込み期間における走査パルスの印加は、スキャン電極の並設方向の一方から他方に向けて実行されることが多いが、この場合には、スキャン電極のグループ分けを、スキャン電極の並設方向である第２方向に行なうことができる。
【００２０】
以下では、本発明を実施するための最良の形態について、一例をもって説明する。なお、以下で説明する実施の形態は、あくまでも一例とするものであり、本発明は、これらに限定されるものではない。
（実施の形態１）
１．プラズマディスプレイ装置１の全体構成
本実施の形態に係るプラズマディスプレイ装置１の全体構成について、図１を用い説明する。
図１に示すように、プラズマディスプレイ装置１は、後述するパネル部１０と、当該パネル部１０に対し接続された表示駆動部とから構成されている。表示駆動部は、画像信号処理回路５１と、データ（Ｄａｔ）電極駆動回路５２と、スキャン（Ｓｃｎ）電極駆動回路（１）５３と、スキャン（Ｓｃｎ）電極駆動回路（２）５４と、サスティン（Ｓｕｓ）電極駆動回路５５と、タイミング発生回路５６とから構成されている。なお、プラズマディスプレイ装置１には、この他に各回路に必要な電力を供給する電源回路が備えられている（図示を省略）。
【００２１】
１−１．画像信号処理回路５１
画像信号処理回路５１は、装置に入力された画像信号Ｓｉｇ．をサブフィールド毎の発光／非発光を示す画像データに変換する。
１−２．Ｄａｔ電極駆動回路５２
Ｄａｔ電極駆動回路５２は、サブフィールド毎の画像データを各データ電極Ｄａｔに対応する信号に変換し、各データ電極Ｄａｔを駆動する。
【００２２】
１−３．タイミング発生回路５６
タイミング発生回路５６は、水平同期信号Ｈと垂直同期信号Ｖとを基にして各回路ブロックの動作を制御する各種タイミング信号を生成し、生成したタイミング信号をそれぞれの回路ブロックへと出力する。
なお、パネル部１０の構成の他、Ｓｃｎ電極駆動回路（１）５３、Ｓｃｎ電極駆動回路（２）５４およびＳｕｓ電極駆動回路５５の各構成については後述する。
【００２３】
２．パネル部１０の構成
パネル部１０の構成について、図２を用い説明する。
図２に示すように、パネル部１０は、前面パネル２０と背面パネル３０とが、その間に放電空間４０をあけて対向配置されてなる構成を有する。前面パネル２０は、ガラス製の前面基板２１をベースとし、この前面基板２１における一方の主面（図２におけるＺ軸方向下側に位置する主面）にスキャン電極Ｓｃｎとサスティン電極Ｓｕｓとが交互に、且つ、互いに並行に配設されている。スキャン電極Ｓｃｎとサスティン電極Ｓｕｓとは、表示電極対２２を構成する。
【００２４】
表示電極対２２が形成された前面基板２１の一方の主面（図２におけるＺ軸方向下側に位置する主面）は、誘電体層２３により被覆され、さらにその上が保護層２４で被覆されている。
背面パネル３０は、ガラス製の背面基板３１をベースとし、この背面基板３１の一方の主面（図２におけるＺ軸方向上側に位置する主面）に複数のデータ電極Ｄａｔが配設されている。背面基板３１におけるデータ電極Ｄａｔが配設された側の主面（図２におけるＺ軸方向上側に位置する主面）は、誘電体層３３で被覆されており、誘電体層３３の表面上には、Ｘ−Ｙ方向に井桁状である隔壁３５が形成されている。そして、背面パネル３０では、誘電体層３３の表面および隔壁３５の内側壁面に対し、蛍光体層３６が形成されている。蛍光体層３６は、井桁状の隔壁３５により仕切られている凹部毎に、赤色（Ｒ）蛍光体層３６Ｒ、緑色（Ｇ）蛍光体層３６Ｇ、青色（Ｂ）蛍光体層３６Ｂに区別し形成されている。
【００２５】
パネル部１０における前面パネル２０と背面パネル３０とは、表示電極対２２とデータ電極Ｄａｔとが放電空間４０を挟んで立体交差する方向で配置され、外周部で封止されている。放電空間４０には、キセノン（Ｘｅ）およびネオン（Ｎｅ）を含む放電ガスが、例えば、４５０［Ｔｏｒｒ］（４５０×０．１３３３≒６０．０［ｋＰａ］）の圧力で封入されている。パネル部１０においては、井桁状の隔壁３５と誘電体層３３とで構成される各凹部であって、表示電極対２２とデータ電極Ｄａｔとが立体交差する各々の箇所が放電セルに相当する。
【００２６】
なお、本実施の形態では、放電空間４０に封入される放電ガスにおいて、全圧に対するＸｅの分圧の比率が１０［％］以上、あるいは２０［％］以上の、所謂、高Ｘｅガスを採用することもできる。
また、背面パネル３０では、井桁状の隔壁３５を有する構成を採用したが、必ずしもこの形態に限定されるものではなく、例えば、ストライプ状の隔壁を適用することもできる。
【００２７】
３．パネル部１０における電極Ｓｃｎ、Ｓｕｓ、Ｄａｔの配設形態と電極駆動回路５２〜５５の接続形態
パネル部１０における電極Ｓｃｎ、Ｓｕｓ、Ｄａｔの配設形態と電極駆動回路５２〜５５の接続形態について、図３を用い説明する。
図３に示すように、パネル部１０には、各々が紙面の横方向に向けて延びるｎ［本］のスキャン電極Ｓｃｎ（１）〜Ｓｃｎ（ｎ）とｎ［本］のサスティン電極Ｓｕｓ（１）〜Ｓｕｓ（ｎ）とが、紙面の縦方向に交互に配設され、また、各々が紙面の縦方向に延びるｍ［本］のデータ電極Ｄａｔ（１）〜Ｄａｔ（ｍ）が配設されている。上述のように、隣り合うスキャン電極Ｓｃｎとサスティン電極Ｓｕｓとで構成される表示電極対２２（図２を参照。）とのデータ電極Ｄａｔとの各立体交差部分のそれぞれが、パネル部１０における放電セルに相当する。
【００２８】
上記のように、パネル部１０における各電極Ｓｃｎ、Ｓｕｓ、Ｄａｔには、各電極駆動回路５２〜５５が接続されているのであるが、本実施の形態に係るプラズマディスプレイ装置１が最も特徴とするのは、ｎ［本］のスキャン電極Ｓｃｎ（１）〜Ｓｃｎ（ｎ）を配列方向に（紙面の）上下半分に分け、紙面上半分のスキャン電極Ｓｃｎ（１）〜Ｓｃｎ（ｎ／２）にＳｃｎ電極駆動回路（１）５３が接続され、紙面下半分のスキャン電極Ｓｃｎ（ｎ／２＋１）〜Ｓｃｎ（ｎ）にスキャン電極駆動回路（２）５４が接続されている、というところにある。即ち、本実施の形態に係るプラズマディスプレイ装置１では、その駆動に際して、Ｓｃｎ電極駆動回路（１）５３がスキャン電極Ｓｃｎ（１）〜Ｓｃｎ（ｎ／２）への電圧パルスの印加を司り、Ｓｃｎ電極駆動回路（２）５４がスキャン電極Ｓｃｎ（ｎ／２＋１）〜Ｓｃｎ（ｎ）への電圧パルスの印加を司る。
【００２９】
４．電極駆動回路５３〜５５
次に、プラズマディスプレイ装置１における表示駆動部が有するＳｃｎ電極駆動回路（１）５３、Ｓｃｎ電極駆動回路（２）５４およびＳｕｓ電極駆動回路５５の各構成について、図４〜図６を用い説明する。
４−１．Ｓｃｎ電極駆動回路（１）５３
図４に示すように、Ｓｃｎ電極駆動回路（１）５３は、維持パルスを発生するための維持パルス発生回路１００と、初期化期間において初期化パルスを発生するための初期化パルス発生回路部１３０と、書込み期間において走査パルスを発生するための走査パルス発生回路部１４０とから構成されており、入力されるタイミング信号に基づいて各スキャン電極Ｓｃｎ（１）〜Ｓｃｎ（ｎ／２）に対し電圧パルスを印加する。
【００３０】
４−１−１．維持パルス発生回路部１００
図４に示すように、維持パルス発生回路部１００は、クランプ部１１０と電力回収部１２０とから構成されている。クランプ部１１０は、電圧Ｖｓの電源に接続されたスイッチング素子Ｑ１１１と、一端が接地されたスイッチング素子Ｑ１１２とを有している。電力回収部１２０は、電力回収用のコンデンサＣ１２１、スイッチング素子Ｑ１２１、Ｑ１２２、逆流防止用のダイオードＤ１２１、Ｄ１２２、および共振用のインダクタＬ１２１を有している。
【００３１】
４−１−２．初期化パルス発生回路部１３０
初期化パルス発生回路部１３０は、２つのミラー積分回路ＭＩ１３１、ＭＩ１３４と、分離回路を構成するスイッチング素子Ｑ１３２、Ｑ１３３を有する。ミラー積分回路ＭＩ１３１は、スイッチング素子Ｑ１３１とコンデンサＣ１３１と抵抗Ｒ１３１とからなり、電圧Ｖｉ２の電源に接続されている。ミラー積分回路ＭＩ１３４は、スイッチング素子Ｑ１３４とコンデンサＣ１３４と抵抗Ｒ１３４とからなり、電圧Ｖｉ４の電源に接続されている。
【００３２】
４−１−３．走査パルス発生回路部１４０
走査パルス発生回路部１４０は、スキャン電極Ｓｃｎ（１）〜Ｓｃｎ（ｎ／２）のそれぞれとの接続部分にスイッチ部ＯＵＴ１〜ＯＵＴｎ／２が設けられ、当該スイッチ部ＯＵＴ１〜ＯＵＴｎ／２における低電圧側を電圧Ｖａにクランプする際に用いるスイッチング素子Ｑ１４１も設けられている。スイッチ部ＯＵＴ１〜ＯＵＴｎ／２のそれぞれは、電圧Ｖｃの電源が接続されたスイッチング素子ＱＨ１〜ＱＨｎ／２と、スイッチング素子Ｑ１４１を介し電圧Ｖａの電源が接続されたスイッチング素子ＱＬ１〜ＱＬｎ／２とを有し構成されている。
【００３３】
４−２．Ｓｃｎ電極駆動回路（２）５４
図５に示すように、Ｓｃｎ電極駆動回路（２）５４は、図３の紙面下半分のスキャン電極Ｓｃｎ（ｎ／２＋１）〜Ｓｃｎ（ｎ）に接続されており、概略的には上記Ｓｃｎ電極駆動回路（１）５３と類似の構成を有する。相違点は、初期化パルス発生回路部１５０と走査＆再初期化パルス発生回路部１６０にある。
【００３４】
４−２−１．初期化パルス発生回路部１５０
図５に示すように、Ｓｃｎ電極駆動回路（２）５４における初期化パルス発生回路部１５０は、 ２つのミラー積分回路ＭＩ１３１、ＭＩ１３４と、分離回路を構成するスイッチング素子Ｑ１３２、Ｑ１３３を有する点で、上記初期化パルス発生回路部１３０と共通であるが、これに加えて、ミラー積分回路ＭＩ１３４と並列な関係をもってスイッチング素子Ｑ１５５が設けられている点が相違する。
【００３５】
４−２−２．走査＆再初期化パルス発生回路部１６０
走査＆再初期化パルス発生回路部１６０は、スキャン電極Ｓｃｎ（ｎ／２＋１）〜Ｓｃｎ（ｎ）のそれぞれに対し接続されるスイッチ部ＯＵＴｎ／２＋１〜ＯＵＴｎを備える点で、上記走査パルス発生回路部１４０と共通であるが、電圧Ｖａの電源とスイッチング素子Ｑ１４１の代りに、電圧Ｖｉ５の電源とミラー積分回路ＭＩ１６１およびスイッチング素子Ｑ１６１が設けられている点が相違する。
【００３６】
ミラー積分回路ＭＩ１６１とスイッチング素子Ｑ１６１とは、電圧Ｖｉ５の電源に対して並列の関係をもって構成されており、ミラー積分回路ＭＩ１６１は、スイッチング素子Ｑ１６２とコンデンサＣ１６２と抵抗Ｒ１６２とから構成されている。この電圧Ｖｉ５の電源とミラー積分回路ＭＩ１６２との組み合わせによって再初期化パルスが生成できる。
４−３．Ｓｕｓ電極駆動回路５５
図６に示すように、Ｓｕｓ電極駆動回路５５は、維持期間においてサスティン電極Ｓｕｓ（１）〜Ｓｕｓ（ｎ）に対し印加する維持パルスを発生するための維持パルス発生回路部２００と、書込み期間において電圧Ｖｅを発生させる電圧印加回路部２５０と、維持パルス発生回路部２００とサスティン電極Ｓｕｓ（１）〜Ｓｕｓ（ｎ）との間に挿設されたスイッチング素子Ｑ２４１とから構成されている。
【００３７】
維持パルス発生回路部２００は、上記Ｓｃｎ電極駆動回路（１）５３における維持パルス発生回路部１００と同様に、クランプ部２１０と電力回収部２２０とから構成されている。クランプ部２１０は、電圧Ｖｓの電源に接続されたスイッチング素子Ｑ２１１と、一端が接地されたスイッチング素子Ｑ２１２とを有している。
電力回収部２２０は、電力回収用のコンデンサＣ２２１、スイッチング素子Ｑ２２１、Ｑ２２２、逆流防止用のダイオードＤ２２１、Ｄ２２２、および共振用のインダクタＬ２２１を有している。
【００３８】
電圧印加回路部２５０は、一端が電圧Ｖｅの電圧Ｖｅの電源に接続されたスイッチング素子Ｑ２５１を有している。
５．プラズマディスプレイ装置１の駆動方法
プラズマディスプレイ装置１の駆動方法について、図７を用い説明する。
図７に示すように、上記構成を有するプラズマディスプレイ装置１は、１ＴＶフィールドを複数のサブフィールドに分割し（ＳＦ（１）〜ＳＦ（Ｘ））、サブフィールド毎に放電セルの発光／非発光の制御を行うことにより階調制御する、所謂、サブフィールド法を用い表示駆動がなされる。
【００３９】
５−１．初期化期間
初期化期間では、全てのスキャン電極Ｓｃｎ（１）〜Ｓｃｎ（ｎ）に対し、緩やかな傾斜（例えば、１．０［Ｖ／μｓｅｃ．］〜１０．０［Ｖ／μｓｅｃ．］の電圧変化率）で電圧が上昇する上り傾斜波形部分（電圧Ｖｉ１から電圧Ｖｉ２に至る部分）と、緩やかな傾斜（ 例えば、１．０［Ｖ／μｓｅｃ．］〜１０．０［Ｖ／μｓｅｃ．］の電圧変化率）で電圧が下降する下り傾斜波形部分（電圧Ｖｉ３から電圧Ｖｉ４に至る部分）とを有する初期化パルスＰｓｅｔを印加する。また、当該期間では、スキャン電極Ｓｃｎ（１）〜Ｓｃｎ（ｎ）への印加電圧が電圧Ｖｉ２に到達するタイミングｔ３において、サスティン電極Ｓｕｓ（１）〜Ｓｕｓ（ｎ）に対し、一斉に電圧Ｖｅを印加する。
【００４０】
なお、初期化期間においては、データ電極Ｄａｔ（１）〜Ｄａｔ（ｍ）を接地電位としておく。
初期化期間では、スキャン電極Ｓｃｎ（１）〜Ｓｃｎ（ｎ）およびサスティン電極Ｓｕｓ（１）〜Ｓｕｓ（ｎ）への上記波形の電圧印加により、全ての放電セルにおいて初期化放電を発生させ、続く書込み期間における書込み放電放電に必要となる壁電荷を各電極Ｓｃｎ、Ｓｕｓ、Ｄａｔ上に形成する。なお、図示を省略しているが、プラズマディスプレイ装置１の駆動においては、全ての放電セルの初期化を実行する初期化期間（図７に示す初期化期間）の他に、直前のサブフィールドにおける維持期間で維持放電を発生させた放電セルに対してのみ初期化放電を発生させる、所謂、選択初期化期間を採用することもできる。
【００４１】
５−２．書込み期間
図７に示すように、各サブフィールドにおける書込み期間は、初期化期間に続き設定され、パネル部１０における配列方向の一方（図３における紙面上方）から半分にあたるスキャン電極Ｓｃｎ（１）〜Ｓｃｎ（ｎ／２）に対し、順次、走査パルスＰｓｃｎが印加され、且つ、当該サブフィールドで維持放電を発生させようとする放電セルに対応するデータ電極Ｄａｔ（ｊ）に対し、書込みパルスＰｄａｔを印加する。これらのパルスＰｓｃｎ、Ｐｄａｔの印加を受けた放電セルにおいては、書込み放電が発生する。書込み期間では、スキャン電極Ｓｃｎ（ｎ／２）への走査パルスＰｓｃｎの印加に続き、パネル部１０の残り半分のスキャン電極Ｓｃｎ（ｎ／２＋１）〜Ｓｃｎ（ｎ）に対し、ライン毎に順次、電圧Ｖａ２の走査パルスＰｓｃｎ２を印加する。
【００４２】
また、スキャン電極Ｓｃｎ（ｎ／２＋１）〜Ｓｃｎ（ｎ）に対しては、スキャン電極Ｓｃｎ（ｎ／２）に走査パルスＰｓｃｎが印加された後であって、スキャン電極Ｓｃｎ（ｎ／２＋１）に走査パルスＰｓｃｎ２が印加される前に、一斉に再初期化パルスＰｓｅｔ２が印加される。再初期化パルスＰｓｅｔ２は、初期化パルスＰｓｅｔにおける下り傾斜波形部分（電圧Ｖｉ３から電圧Ｖｉ４に至る部分）と実質的に同じ電圧変化率の下り傾斜波形部分（電圧Ｖｉ４から電圧Ｖｉ５に至る部分）を有する。即ち、図５に示すＳｃｎ電極駆動回路（２）５４の回路構成において、初期化パルス発生回路部１５０におけるミラー積分回路ＭＩ１３４と走査＆再初期化パルス発生回路部１６０におけるミラー積分回路ＭＩ１６２との互いの時定数が実質的に同一となるように構成されている。
【００４３】
さらに、再初期化パルスＰｓｅｔ２における下り傾斜波形部分の開始電圧は電圧Ｖｉ４であって、初期化パルスＰｓｅｔにおける下り傾斜波形部分の終了電圧Ｖｉ４と同一となっている。
なお、スキャン電極Ｓｃｎ（ｎ／２＋１）〜Ｓｃｎ（ｎ）に対し印加される走査パルスＰｓｃｎ２の電圧Ｖａ２は、再初期化パルスＰｓｅｔ２における下り傾斜波形部分の終了電圧Ｖｉ５と同じである。
【００４４】
スキャン電極Ｓｃｎ（ｎ／２＋１）〜Ｓｃｎ（ｎ）への走査パルスＰｓｃｎ２の印加に対応し、当該サブフィールドで維持放電を発生させようとする放電セルに対応するデータ電極Ｄａｔ（ｊ）に対し、書込みパルスＰｄａｔは印加される。
ここで、スキャン電極Ｓｃｎ（ｎ／２＋１）〜Ｓｃｎ（ｎ）に対する再初期化パルスＰｓｅｔ２と走査パルスＰｓｃｎ２との時間的な関係は、再初期化パルスＰｓｅｔ２の印加開始タイミングｔ９が、走査パルスＰｓｃｎ２の印加開始タイミングｔ１２に対し、当該走査パルスＰｓｃｎのパルス幅（ｔ１３−ｔ１２）の２倍以上の時間間隔をあけて設定されてる。また、各パルスの電圧値Ｖｉ４、Ｖｉ５、Ｖａ、Ｖａ２、Ｖｄは、例えば、以下のように設定されている。
【００４５】
・電圧Ｖｉ４＝−１５０［Ｖ］
・電圧Ｖｉ５＝−１７０［Ｖ］
・電圧Ｖａ＝−１５０［Ｖ］
・電圧Ｖａ２＝−１７０［Ｖ］
・電圧Ｖｄ＝７０［Ｖ］
５−３．維持期間
図７に示すように、維持期間においては、全てのスキャン電極Ｓｃｎ（１）〜Ｓｃｎ（ｎ）および全てのサスティン電極Ｓｕｓ（１）〜Ｓｕｓ（ｎ）に対し、電圧Ｖｓの維持パルスＰｓｕｓを印加する。なお、スキャン電極Ｓｃｎ（１）〜Ｓｃｎ（ｎ）に対し印加する維持パルスＰｓｕｓと、サスティン電極Ｓｕｓ（１）〜Ｓｕｓ（ｎ）に対し印加する維持パルスＰｓｕｓとは、互いに半周期ズレを有する。この維持パルスＰｓｕｓの印加回数は、該当のサブフィールドにおける輝度重みに応じて設定されており、書込み期間で書き込み放電が生じた放電セルで維持放電が発生することになる。そして、維持放電の発生により、放電空間４０中に充填された放電ガスのＸｅから紫外線が放射され、各放電セルにおける蛍光体層３６がこれを可視光変換し、生成された可視光が前面パネル２０と通しパネル外へと出射される。
【００４６】
なお、維持パルスＰｓｕｓの電圧値Ｖｓは、例えば、以下のように設定されている。
・電圧Ｖｓ＝１５０［Ｖ］
６．電極駆動回路５３〜５５の動作
次に、上記駆動方法を実現するための各電極駆動回路５３〜５５の動作について、図７と図８とを併用して説明する。図７と図８とにおいては、各々に記載のタイミングｔ０〜ｔ１４は対応している。なお、以下の説明では、従来のプラズマディスプレイ装置の駆動方法と同じ維持期間、さらには、データ電極駆動回路５２の駆動については、その説明を省略する。
【００４７】
また、本実施の形態では、以下の関係を満足するものとする。
・電圧Ｖｉ１＝電圧Ｖｉ３＝電圧Ｖｓ
・電圧Ｖｉ４＝電圧Ｖａ
・電圧Ｖｉ５＝電圧Ｖａ２
６−１．タイミングｔ０
図８に示すように、タイミングｔ０（初期化期間の開始タイミング）では、Ｓｃｎ電極駆動回路（１）５３およびＳｃｎ電極駆動回路（２）５４の各々におけるスイッチング素子Ｑ１１２、Ｑ１３２、Ｑ１３３を”ＯＮ”にし、また、Ｓｃｎ電極駆動回路（１）５３のスイッチング素子ＱＬ１〜ＱＬｎ／２を”ＯＮ”にし、Ｓｃｎ電極駆動回路（２）５４のスイッチング素子ＱＬｎ／２＋１〜ＱＬｎを”ＯＮ”にする。また、タイミングｔ０では、Ｓｕｓ電極駆動回路５５におけるスイッチング素子Ｑ２１２、Ｑ２４１を”ＯＮ”にする。
【００４８】
図７に示すように、上記スイッチング動作により、タイミングｔ０においては、Ｓｃｎ電極駆動回路（１）５３、Ｓｃｎ電極駆動回路（２）５４およびＳｕｓ電極駆動回路５５における上記スイッチング動作により、全てのスキャン電極Ｓｃｎ（１）〜Ｓｃｎ（ｎ）および全てのサスティン電極Ｓｕｓ（１）〜Ｓｕｓ（ｎ）が接地電位となる。
６−２．タイミングｔ１
図８に示すように、タイミングｔ１では、Ｓｃｎ電極駆動回路（１）５３およびＳｃｎ電極駆動回路（２）５４の各々におけるスイッチング素子Ｑ１１２を”ＯＦＦ”にするとともに、スイッチング素子Ｑ１１１を”ＯＮ”にする。これにより、図７に示すように、全てのスキャン電極Ｓｃｎ（１）〜Ｓｃｎ（ｎ）に対し、電圧Ｖｉ１（＝電圧Ｖｓ）が印加される。
【００４９】
６−３．タイミングｔ２
図８に示すように、タイミングｔ２では、Ｓｃｎ電極駆動回路（１）５３およびＳｃｎ電極駆動回路（２）５４の各々におけるスイッチング素子Ｑ１１１、Ｑ１３２を”ＯＦＦ”にするとともに、スイッチング素子Ｑ１３１を”ＯＮ”にする。このスイッチング動作により、Ｓｃｎ電極駆動回路（１）５３およびＳｃｎ電極駆動回路５４の各々における初期化パルス発生回路部１３０、１５０のミラー積分回路ＭＩ１３１が”ＯＮ”になる。
【００５０】
これにより、図７に示すように、タイミングｔ２で電圧Ｖｉ１であったスキャン電極Ｓｃｎ（１）〜Ｓｃｎ（ｎ）への印加電圧が、タイミングｔ３に向けて、電圧Ｖｉ２へと緩やかに上昇して行く（上り傾斜波形部分）。
６−４．タイミングｔ３
図８に示すように、タイミングｔ３では、Ｓｕｓ電極駆動回路５５のスイッチング素子Ｑ２１２、Ｑ２４１を”ＯＦＦ”にするとともに、スイッチング素子Ｑ２５１を”ＯＮ”にする。なお、図７に示すように、タイミングｔ３では、スキャン電極Ｓｃｎ（１）〜Ｓｃｎ（ｎ）に対する印加電圧が電圧Ｖｉ２になる。
【００５１】
このようなスイッチング動作により、図７に示すように、サスティン電極Ｓｕｓ（１）〜Ｓｕｓ（ｎ）へ電圧Ｖｅが印加される。
６−５．タイミングｔ４
図８に示すように、タイミングｔ４では、Ｓｃｎ電極駆動回路（１）５３およびＳｃｎ電極駆動回路（２）５４の各々におけるスイッチング素子Ｑ１３１を”ＯＦＦ”にするとともに、スイッチング素子Ｑ１１１、Ｑ１３２を”ＯＮ”にする。これにより、図７に示すように、スキャン電極Ｓｃｎ（１）〜Ｓｃｎ（ｎ）への印加電圧は、電圧Ｖｉ３（＝電圧Ｖｓ）となる。
【００５２】
６−６．タイミングｔ５
図８に示すように、タイミングｔ５では、Ｓｃｎ電極駆動回路（１）５３およびＳｃｎ電極駆動回路（２）５４の各々におけるスイッチング素子Ｑ１１１、Ｑ１３２、Ｑ１３３を”ＯＦＦ”にするとともに、スイッチング素子Ｑ１３４を”ＯＮ”にする。このスイッチング動作により、Ｓｃｎ電極駆動回路（１）５３およびＳｃｎ電極駆動回路５４の各々における初期化パルス発生回路部１３０、１５０のミラー積分回路ＭＩ１３４が”ＯＮ”になる。各ミラー積分回路ＭＩ１３４は、電圧Ｖｉ４の電源に接続されており、電圧Ｖｉ３から電圧Ｖｉ４に向けて緩やかに下降する傾斜波形を、スキャン電極Ｓｃｎ（１）〜Ｓｃｎ（ｎ）に対し印加する。
【００５３】
なお、電圧Ｖｉ３から電圧Ｖｉ４に至る下り傾斜波形部分の電圧変化率（図７における該当部分の傾き）については、上述の通り、例えば、１．０［Ｖ／μｓｅｃ．］〜１０．０［Ｖ／μｓｅｃ．］の範囲内である。
６−７．タイミングｔ６
図８に示すように、タイミングｔ６（書込み期間の開始タイミング）では、Ｓｃｎ電極駆動回路（１）５３およびＳｃｎ電極駆動回路（２）５４の各々におけるスイッチング素子Ｑ１３４を”ＯＦＦ”にするとともに、Ｓｃｎ電極駆動回路（１）５３におけるスイッチング素子ＱＬ１〜ＱＬｎ／２と、Ｓｃｎ電極駆動回路（２）５４におけるスイッチング素子ＱＬｎ／２＋１〜ＱＬｎとを”ＯＦＦ”にする。そして、タイミングｔ６では、Ｓｃｎ電極駆動回路（１）５３におけるスイッチング素子ＱＨ１〜ＱＨｎ／２と、Ｓｃｎ電極駆動回路（２）５４におけるスイッチング素子ＱＨｎ／２＋１〜ＱＨｎとを”ＯＮ”にする。
【００５４】
上記スイッチング動作により、図７に示すように、タイミングｔ６において、スキャン電極Ｓｃｎ（１）〜Ｓｃｎ（ｎ）が電圧Ｖｃにクランプされる。
６−８．タイミングｔ７
図８に示すように、タイミングｔ７では、Ｓｃｎ電極駆動回路（１）５３におけるスイッチング素子ＱＨ１を”ＯＦＦ”にするとともに、スイッチング素子Ｑ１４１、ＱＬ１を”ＯＮ”にする。タイミングｔ７では、上記スイッチング動作により、１ライン目にあたるスキャン電極Ｓｃｎ（１）に対し、電圧Ｖａが印加される。なお、図示を省略しているが、タイミングｔ７においては、スキャン電極Ｓｃｎ（１）に対応し、当該サブフィールドで維持放電を発生させようとする放電セルに対応するデータ電極Ｄａｔ（ｊ）に対し、書込みパルスＰｄａｔを印加する。
【００５５】
６−９．タイミングｔ８
図８に示すように、タイミングｔ８では、Ｓｃｎ電極駆動回路（１）５３におけるスイッチング素子ＱＬ１を”ＯＦＦ”にするとともに、スイッチング素子ＱＨ１を”ＯＮ”にする。当該スイッチング動作により、タイミングｔ８において１ライン目のスキャン電極Ｓｃｎ（１）への走査パルスＰｓｃｎの印加が終了し、スキャン電極Ｓｃｎ（１）と選択されたデータ電極Ｄａｔ（ｊ）との間での書込み放電が発生し、壁電荷の形成がなされる。
【００５６】
この後、同様にしてスキャン電極Ｓｃｎ（２）〜Ｓｃｎ（ｎ／２）への走査パルスＰｓｃｎの印加が、ライン毎になされる。
６−１０．タイミングｔ９
図８に示すように、タイミングｔ９では、Ｓｃｎ電極駆動回路（１）５３におけるスイッチング素子Ｑ１４１を”ＯＦＦ”にする。また、タイミングｔ９では、Ｓｃｎ電極駆動回路（２）５４におけるスイッチング素子ＱＨｎ／２＋１〜ＱＨｎを”ＯＦＦ”にするとともに、スイッチング素子Ｑ１５５、ＱＬｎ／２＋１〜ＱＬｎを”ＯＮ”にする。これにより、図７に示すように、Ｓｃｎ電極駆動回路（２）５４が駆動を実行するスキャン電極Ｓｃｎ（ｎ／２＋１）〜Ｓｃｎ（ｎ）に対し一斉に電圧Ｖｉ４を印加する。
【００５７】
６−１１．タイミングｔ１０
図８に示すように、Ｓｃｎ電極駆動回路（２）５４におけるスイッチング素子Ｑ１５５を”ＯＦＦ”にするとともに、スイッチング素子Ｑ１６２を”ＯＮ”にする。これにより、Ｓｃｎ電極駆動回路（２）５４における走査＆再初期化パルス発生回路部１６０のミラー積分回路ＭＩ１６２が”ＯＮ”になり、電圧Ｖｉ４から電圧Ｖｉ５に向けて緩やかに下降する傾斜波形を、スキャン電極Ｓｃｎ（ｎ／２＋１）〜Ｓｃｎ（ｎ）に対し印加できる。ここで、電圧Ｖｉ４から電圧Ｖｉ５に至る傾斜波形部分の電圧変化率は、初期化パルスＰｓｅｔにおける電圧Ｖｉ３から電圧Ｖｉ４に至る下り傾斜波形部分と実質的に同じである。
【００５８】
６−１２．タイミングｔ１１
図８に示すように、タイミングｔ１１では、Ｓｃｎ電極駆動回路（２）５４におけるスイッチング素子Ｑ１６２、ＱＬｎ／２＋１〜ＱＬｎを”ＯＦＦ”にするとともに、スイッチング素子ＱＨｎ／２＋１〜ＱＨｎを”ＯＮ”にする。これにより、図７に示すように、スキャン電極Ｓｃｎ（ｎ／２＋１）〜Ｓｃｎ（ｎ）への再初期化パルスＰｓｅｔ２の印加が終了し、電圧Ｖｃにクランプされる。
【００５９】
６−１３．タイミングｔ１２
図８に示すように、タイミングｔ１２では、Ｓｃｎ電極駆動回路（２）５４におけるスイッチング素子ＱＨｎ／２＋１を”ＯＦＦ”にするとともに、スイッチング素子Ｑ１６１、ＱＬｎ／２＋１を”ＯＮ”にする。これにより、図７に示すように、Ｓｃｎ電極（ｎ／２＋１）に対し、電圧Ｖａ２（＝電圧Ｖｉ５）が印加される。なお、図示を省略しているが、タイミングｔ１２においても、上記タイミングｔ７と同様に、スキャン電極Ｓｃｎ（ｎ／２＋１）に対応し、当該サブフィールドで維持放電を発生させようとする放電セルに対応するデータ電極Ｄａｔ（ｊ）に対し、電圧Ｖｄを印加する。
【００６０】
６−１４．タイミングｔ１３
図８に示すように、タイミングｔ１３では、Ｓｃｎ電極駆動回路（２）５４におけるスイッチング素子ＱＬｎ／２＋１を”ＯＦＦ”にするとともに、スイッチング素子ＱＨｎ／２＋１を”ＯＮ”にする。これにより、図７に示すように、スキャン電極Ｓｃｎ（ｎ／２＋１）が、電圧Ｖｃにクランプされる。
【００６１】
この後、同様にしてスキャン電極Ｓｃｎ（ｎ／２＋２）〜Ｓｃｎ（ｎ）への走査パルスＰｓｃｎ２の印加が、ライン毎になされる。
６−１５．タイミングｔ１４
図８に示すように、タイミングｔ１４では、Ｓｃｎ電極駆動回路（１）５３およびＳｃｎ電極駆動回路（２）５４の各々におけるスイッチング素子Ｑ１２１、Ｑ１３１、Ｑ１３３を”ＯＮ”にするとともに、Ｓｃｎ電極駆動回路（１）５３におけるスイッチング素子ＱＨ１〜ＱＨｎ／２を”ＯＦＦ”にし、スイッチング素子ＱＬ１〜ＱＬｎ／２を”ＯＮ”にする。また、タイミングｔ１４では、Ｓｃｎ電極駆動回路（２）５４におけるスイッチング素子Ｑ１６１、ＱＨｎ／２＋１〜ＱＨｎを”ＯＦＦ”にするとともに、スイッチング素子ＱＬｎ／２＋１〜ＱＬｎを”ＯＮ”にする。さらに、タイミングｔ１４では、Ｓｕｓ電極駆動回路５５におけるスイッチング素子Ｑ２５１を”ＯＦＦ”にするとともに、スイッチング素子Ｑ２２２、Ｑ２４１を”ＯＮ”にする。
【００６２】
以降の維持期間では、Ｓｃｎ電極駆動回路（１）５３およびＳｃｎ電極駆動回路（２）５４とＳｕｓ電極駆動回路５５とを駆動して、互いに半周期ずれた状態でスキャン電極Ｓｃｎ（１）〜Ｓｃｎ（ｎ）とサスティン電極Ｓｕｓ（１）〜Ｓｕｓ（ｎ）とに対し維持パルスＰｓｕｓを印加する。
以上の一連の動作をもって、画像信号Ｓｉｇ．に基づき選択的に書込みがなされた放電セルにおいて、維持放電が発生し、蛍光体層３６で変換された可視光が前面パネル２０を通し、出射される。
【００６３】
７．プラズマディスプレイ装置１の採用する駆動方法による優位性
図７に示すように、本実施の形態に係るプラズマディスプレイ装置１では、書込み期間における走査パルスＰｓｃｎ、Ｐｓｃｎ２の印加順にｎ［本］のスキャン電極Ｓｃｎ（１）〜Ｓｃｎ（ｎ）を、スキャン電極Ｓｃｎ（１）〜Ｓｃｎ（ｎ／２）のグループと、スキャン電極Ｓｃｎ（ｎ／２＋１）〜Ｓｃｎ（ｎ）のグループとに分け、書込み期間の後半で走査パルスＰｓｃｎ２の印加を受けるスキャン電極Ｓｃｎ（ｎ／２＋１）〜Ｓｃｎ（ｎ）に対し、走査パルスＰｓｃｎ２の印加に先行して、再初期化パルスＰｓｅｔ２を印加することを特徴としている。
【００６４】
このため、本実施の形態に係るプラズマディスプレイ装置１の駆動方法では、初期化期間における初期化終了からの時間経過が、スキャン電極Ｓｃｎ（１）〜Ｓｃｎ（ｎ/２）に比べて長くなるスキャン電極Ｓｃｎ（ｎ／２＋１）〜Ｓｃｎ（ｎ）においても、書込みが確実なされる。即ち、初期化終了からの経過時間が長くなればなるほど、残留励起ガスや保護層２４から放出される２次電子の中和作用によると考えられる壁電荷の減少という現象が生じるのに対し、本実施の形態に係るプラズマディスプレイ装置１の駆動方法では、スキャン電極Ｓｃｎ（ｎ／２＋１）〜Ｓｃｎ（ｎ）に再初期化パルスＰｓｅｔ２を印加することで壁電荷が再形成される。これより、本実施の形態に係るプラズマディスプレイ装置１では、その駆動において、書込み不良の低減がなされ、高品質な画像表示が可能となる。
【００６５】
なお、本実施の形態に係るプラズマディスプレイ装置１では、ｎ［本］のスキャン電極Ｓｃｎ（１）〜Ｓｃｎ（ｎ）を走査パルスＰｓｃｎ、Ｐｓｃｎ２の印加順に、２つのグループに分けることとしたが、３つ以上のグループに分け、走査パルスの印加順において２番目以降となるグループに対し、再初期化パルスＰｓｅｔ２を印加することとしてもよい。
【００６６】
また、本実施の形態における具体的な数値などについては、一例として適用するものであり、これに限定されるものではない。
（実施の形態２）
１．プラズマディスプレイ装置の構成
本実施の形態に係るプラズマディスプレイ装置の全体構成は、スキャン電極Ｓｃｎ（１）〜Ｓｃｎ（ｎ）に対するＳｃｎ電極駆動回路６３の接続形態、およびその構成以外については、上記実施の形態１に係るプラズマディスプレイ装置１と同様である。このため、以下では、上記実施の形態１に係るプラズマディスプレイ装置１との差異部分についてのみ、図９を用い説明するものとし、その他の構成部分についてはその説明を省略する。
【００６７】
図９に示すように、本実施の形態に係るプラズマディスプレイ装置では、パネル部１０におけるｎ［本］のスキャン電極Ｓｃｎ（１）〜Ｓｃｎ（ｎ）がＳｃｎ電極駆動回路６３に接続されている。この点が、上記実施の形態１との主な差異である。
２．Ｓｃｎ電極駆動回路６３
本実施の形態に係るプラズマディスプレイ装置において、構成という観点から最も特徴となるＳｃｎ電極駆動回路６３の構成について、図１０を用い説明する。
【００６８】
図１０に示すように、本実施の形態に係るＳｃｎ電極駆動回路６３は、上記プラズマディスプレイ装置１におけるＳｃｎ電極駆動回路（２）５４と類似の構成を有する。即ち、Ｓｃｎ電極駆動回路６３は、維持パルス発生回路１００と初期化パルス発生回路部１５０と走査＆再初期化パルス発生回路部１７０とから構成されている。
Ｓｃｎ電極駆動回路６３における上記Ｓｃｎ電極駆動回路（２）５４との差異点は、走査＆再初期化パルス発生回路部１７０において、パネル部１０における全てのスキャン電極Ｓｃｎ（１）〜Ｓｃｎ（ｎ）に対応したｎ［個］のスイッチ部ＯＵＴ１〜ＯＵＴｎを備える点である。Ｓｃｎ電極駆動回路６３におけるその他の回路構成については、上記Ｓｃｎ電極駆動回路（２）５４と同様である。
【００６９】
３．プラズマディスプレイ装置の駆動方法
上記構成を備える本実施の形態に係るプラズマディスプレイ装置の駆動方法について、図１１を用い説明する。
図１１に示すように、本実施の形態に係るプラズマディスプレイ装置においても、所謂、サブフィールド法を用い表示駆動を行うものであり、１フィールドを複数のサブフィールドに分割し（ＳＦ（１）〜ＳＦ（Ｘ））、サブフィールド毎に放電セルの発光／非発光の制御を行うことにより階調制御する。本実施の形態に係る駆動方法は、書込み期間におけるパルス印加に関する部分以外、上記実施の形態１に係る駆動方法と同様の方法を採用する。
【００７０】
図１１に示すように、本実施の形態に係る駆動方法の書込み期間では、各スキャン電極Ｓｃｎ（１）〜Ｓｃｎ（ｎ）に対する走査パルスＰｓｃｎ３の印加直前に、再初期化パルスＰｓｅｔ３を順次印加する。具体的には、書込み期間の最初に、走査パルスＰｓｃｎ３の印加順の先頭に当る（１ライン目の）スキャン電極Ｓｃｎ（１）に対し、再初期化パルスＰｓｅｔ３を印加する。
【００７１】
再初期化パルスＰｓｅｔ３は、上記実施の形態１に係る再初期化パルスＰｓｅｔ２と同様に、初期化パルスＰｓｅｔにおける下り傾斜波形部分（電圧Ｖｉ３から電圧Ｖｉ４に至る部分）と実質的に同じ電圧変化率の下り傾斜波形部分（電圧Ｖｉ４から電圧Ｖｉ５に至る部分）を有する。即ち、本実施の形態でも、図１０に示すＳｃｎ電極駆動回路６３の回路構成において、初期化パルス発生回路部１５０におけるミラー積分回路ＭＩ１３４と走査＆再初期化パルス発生回路部１７０におけるミラー積分回路ＭＩ１６２との互いの時定数が実質的に同一となるように構成されている。
【００７２】
また、再初期化パルスＰｓｅｔ３における下り傾斜波形部分の開始電圧は、初期化パルスＰｓｅｔにおける下り傾斜波形部分の終了電圧と同一の電圧Ｖｉ４であり、終了電圧は、走査パルスＰｓｃｎ３と同じ電圧Ｖｉ５である。
図１１に示すように、スキャン電極Ｓｃｎ（１）への再初期化パルスＰｓｅｔ３の印加に続き、走査パルスＰｓｃｎ３を印加する。ここで、スキャン電極Ｓｃｎ（１）に対する走査パルスＰｓｃｎ３の印加開始タイミングは、当該電極Ｓｃｎ（１）への再初期化パルスＰｓｅｔ３の印加開始のタイミングから、走査パルスＰｓｃｎ３のパルス幅の２倍の時間経過したタイミングである。スキャン電極Ｓｃｎ（１）に対する走査パルスＰｓｃｎ３の印加にタイミングを同期して、当該サブフィールドで維持放電を生じさせるのに選択されたデータ電極Ｄａｔ（ｊ）に対し、書込みパルスＰｄａｔが印加される。ここで、再初期化パルスＰｓｅｔ３の印加タイミングにおいては、データ電極Ｄａｔ（ｊ）に対し書込みパルスＰｄａｔは印加されない。
【００７３】
次に、２ライン目のスキャン電極Ｓｃｎ（２）に対し、上記１ライン目のスキャン電極Ｓｃｎ（１）と同様に、再初期化パルスＰｓｅｔ３と走査パルスＰｓｃｎ３とを順に印加する。ここで、２ライン目のスキャン電極Ｓｃｎ（２）への再初期化パルスＰｓｅｔ３の印加開始タイミングは、１ライン目のスキャン電極Ｓｃｎ（１）への再初期化パルスＰｓｅｔ３の終了タイミングとなっており、また、２ライン目のスキャン電極Ｓｃｎ（２）への再初期化パルスＰｓｅｔ３の印加終了タイミングは、１ライン目のスキャン電極Ｓｃｎ（１）への走査パルスＰｓｃｎ３の印加開始タイミングと同じとなっている。
【００７４】
さらに、２ライン目のスキャン電極Ｓｃｎ（２）への走査パルスＰｓｃｎ３の印加開始タイミングは、１ライン目のスキャン電極Ｓｃｎ（１）への走査パルスＰｓｃｎ３の印加終了と同じとなっている。
以上と同様の再初期化および走査をｎライン目のスキャン電極Ｓｃｎ（ｎ）まで実行し、書込み期間が終了する。
【００７５】
本実施の形態においても、再初期化パルスＰｓｅｔ３における下り傾斜波形部分の電圧変化率は、例えば、１．０［Ｖ／μｓｅｃ．］〜１０．０［Ｖ／μｓｅｃ．］である。そして、本実施の形態に係る駆動方法で採用する一例としての電圧値は、次の通りである。
・電圧Ｖｉ４＝−１５０［Ｖ］
・電圧Ｖｉ５＝−１７０［Ｖ］
・電圧Ｖａ３＝−１７０［Ｖ］
・電圧Ｖｄ＝７０［Ｖ］ 
４．本実施の形態に係る駆動方法が有する優位性
図１１に示すように、本実施の形態に係る駆動方法では、書込み期間における走査パルスＰｓｃｎ３の印加順に、ｎ［本］のスキャン電極Ｓｃｎ（１）〜Ｓｃｎ（ｎ）の各々毎に、走査パルスＰｓｃｎ３の印加に先行して、再初期化パルスＰｓｅｔ３を印加することを特徴としている。このため、本実施の形態に係る駆動方法では、各スキャン電極Ｓｃｎ（１）〜Ｓｃｎ（ｎ）への走査パルスＰｓｃｎ３の印加の直前に再初期化パルスＰｓｅｔ３を印加することにより、壁電荷が再形成される。よって、本実施の形態に係る駆動方法においても、再初期化動作の実行により、残留励起ガスや保護層２４から放出される２次電子による中和作用によると推察される壁電化の減少を補償することができ、特に走査パルスＰｓｅｔ３の印加順の後方における書込み不良の低減が可能となる。
【００７６】
従って、本実施の形態に係るプラズマディスプレイ装置の駆動方法においても、高い画像品質が確保できる。
なお、本実施の形態では、同一ラインに対する再初期化パルスＰｓｅｔ３の印加開始タイミングと走査パルスＰｓｃｎ３の印加開始タイミングとを、上述のように、走査パルスＰｓｃｎ３のパルス幅の２倍としているが、各サブフィールドあるいは各フィールドにおける時間的な観点から、２倍以上に設定することも可能である。このように同一ラインに対する再初期化パルスＰｓｅｔ３の印加開始タイミングと走査パルスＰｓｃｎ３の印加開始タイミングとの関係を規定することにより、隣接するライン（スキャン電極（ｉ）とスキャン電極（ｉ＋１））間でのクロストークが確実に防止できる。
【００７７】
また、本実施の形態においても、上記数値などについては、一例として適用するものであり、これに限定されるものではない。
【産業上の利用可能性】
【００７８】
本発明は、高い画像品質を有するプラズマディスプレイ装置を実現するのに有用である。
【図面の簡単な説明】
【００７９】
【図１】実施の形態１に係るプラズマディスプレイ装置１を示すブロック回路図である。
【図２】プラズマディスプレイ装置１のパネル部１０の一部を示す斜視図（一部断面図）である。
【図３】パネル部１０における電極Ｓｃｎ、Ｓｕｓ、Ｄａｔの配列と、各々に接続される電極駆動回路５２〜５５を示す模式平面図である。
【図４】プラズマディスプレイ装置１におけるＳｃｎ電極駆動回路（１）５３を示す回路図である。
【図５】プラズマディスプレイ装置１におけるＳｃｎ電極駆動回路（２）５４を示す回路図である。
【図６】プラズマディスプレイ装置１におけるＳｕｓ電極駆動回路５５を示す回路図である。
【図７】プラズマディスプレイ装置１の駆動において、電極Ｓｃｎ、Ｓｕｓ、Ｄａｔの各々に印加される電圧波形を示す波形図である。
【図８】プラズマディスプレイ装置１の駆動において、電極駆動回路５３〜５５の各スイッチング素子Ｑ１１１〜Ｑ２５１の開閉動作を示すタイミングチャートである。
【図９】実施の形態２に係るパネル部１０における電極Ｓｃｎ、Ｓｕｓ、Ｄａｔの配列と、各々に接続される電極駆動回路５２、５５、６３を示す模式平面図である。
【図１０】実施の形態２に係るＳｃｎ電極駆動回路６３を示す回路図である。
【図１１】実施の形態２に係るプラズマディスプレイ装置の駆動において、電極Ｓｃｎ、Ｓｕｓ、Ｄａｔの各々に印加される電圧波形を示す波形図である。
【図１２】従来のプラズマディスプレイ装置の駆動において、電極Ｓｃｎ、Ｓｕｓ、Ｄａｔの各々に印加される電圧波形を示す波形図である。
【符号の説明】
【００８０】
１．プラズマディスプレイ装置
１０．パネル部
２０．前面パネル
２１．前面基板
２２．表示電極対
２３．誘電体層
２４．保護層
３０．背面パネル
３１．背面基板
３３．誘電体層
３５．隔壁
３６．蛍光体層
４０．放電空間
５１．画像信号処理回路
５２．データ（Ｄａｔ）電極駆動回路
５３．スキャン（Ｓｃｎ）電極駆動回路（１）
５４．スキャン（Ｓｃｎ）電極駆動回路（２）
５５．サスティン（Ｓｕｓ）電極駆動回路
５６．タイミング発生回路
６３．スキャン（Ｓｃｎ）電極駆動回路
１００、２００．維持パルス発生部
１１０、２１０．クランプ部
１２０、２２０．電力回収部
１３０、１５０．初期化パルス発生部
１４０．走査パルス発生部
１６０、１７０．走査＆再初期化パルス発生部
２５０．電圧印加部
Ｓｃｎ．スキャン電極
Ｓｕｓ．サスティン電極
Ｄａｔ．データ電極
Ｐｓｅｔ．初期化パルス
Ｐｓｅｔ２、Ｐｓｅｔ３．再初期化パルス
Ｐｓｃｎ、Ｐｓｃｎ２、Ｐｓｃｎ３．走査パルス
Ｐｄａｔ．書込みパルス
Ｐｓｕｓ．維持パルス
【図１】
2008170651.tif 000003
【図２】
2008170651.tif 000004
【図３】
2008170651.tif 000005
【図４】
2008170651.tif 000006
【図５】
2008170651.tif 000007
【図６】
2008170651.tif 000008
【図７】
2008170651.tif 000009
【図８】
2008170651.tif 000010
【図９】
2008170651.tif 000011
【図１０】
2008170651.tif 000012
【図１１】
2008170651.tif 000013
【図１２】
2008170651.tif 000014